(57)【要約】      （修正有）【解決手段】シート１で便座を前面から側面にかけて下まで覆う。蓋の下部をオッパイ形のシート後部２で覆い、肌や着衣が便器に触れるのを防ぐ。シートの内側を便座の形に切り取る。便座と蓋に触れる部分（複数箇所）に粘着剤４をつける。【効果】便座の全周と蓋の下部をシートで覆い、肌や着衣が便器に触れるのを防ぐ。家庭や不特定多数の人が使うトイレそれぞれに応じて、効果的に、簡便に利用できる。伝染病の予防にも役立ち、内袋はレバーやドアのノブを掴むミトン代わりに使用できる。【選択図】図１
2006289029.tif 000002
【特許請求の範囲】
【請求項１】
イ．便器の便座を、シートで前面から側面にかけて７〜８センチほど下まで覆う（１）。
ロ．便座の蓋の下部を、７〜８センチほどの高さまで、オッパイ形（２）のシート後部で覆う。
ハ．シートの内側を便座の形（３）に切りとるか、切り込みを入れる。
ニ．便座と蓋に触れる部分（複数箇所）に、はがしやすい粘着剤（４）を付ける。
以上のごとく構成された洋式便器の極薄の膜状の便座シート。
【請求項２】
多数、紐で綴じて、便器の近くに吊り下げ、随時、使用する「請求項１」のシート。
【請求項３】
粘着部分（４）が上に来るように折り畳んで１枚ずつ内袋に入れ、１０袋程度、滅菌ティッシュとともに、外袋に収める携帯用の「請求項１」のシート。
【請求項４】
蓋を開き、ミトン状（５）に手の指が入るようにした「請求項１」のシートの内袋。
【請求項５】
極薄の不透過性の、水に溶ける素材の「請求項１」のシート。
【請求項６】
水溶性でない低廉な極薄の素材を用いて、家庭用に供する「請求項１」のシート。
【発明の詳細な説明】
【技術分野】
【０００１】  この発明は、
イ．中を便座形に切りとった極薄の不透過性のシートで便座を完全に覆い、（図１）
ロ．シートが、ずれないよう、はがしやすい粘着部を指で便座に軽く押しつけ、（図１）
ハ．肌が便座に触れないようにし、
ニ．着衣も便器に触れないようにして、
ホ．開くと、指が入るミトン状になる内袋に収めたもので、（図２）
ヘ．ドアのノブなどに触れるときは、内袋をミトン状にして指を入れて用いる。（図３）
ト．シートの素材は、不透過性で、水に溶ける紙または合成樹脂など。
チ．添付の除菌用ティッシュで手を拭けば、他人が使う洗面台で手を洗わなくても済む。
【背景技術】
【０００２】  イ．不特定多数の人が繁用するトイレでは、細菌に感染し、着衣が汚れる不安がある。
ロ．重篤な感染性の病気が予想されるときは、その消毒に手間がかかる。
ハ．着衣が便器に触れないよう衣類を支えていなければならず、不自由である。
ニ．男女共用の一般家庭でも、男性が便座を上げずに小用をたす不安感がぬぐえず、肌が便座に直接触れる女性には、絶えず抵抗感を伴う。
ホ．便座と同じ形の従来のシートは、ずれやすく、これらの課題を解決できなかった。
【発明の開示】
【発明が解決しようとする課題】
【０００３】  イ．便座と同じ形の従来のシートは、ずれやすく、肌や着衣が便器に触れてしまう。
ロ．男女共用の一般家庭や、不特定多数の人が繁用するトイレでは、細菌に感染し、着衣が汚れる不安がある。
ハ．重篤な感染性の病気が予想されるときは、その消毒に手間がかかる。
ニ．ドアのノブや水洗のレバーは、不特定多数の人が触るだけでなく、清掃係員が、清掃後、清掃用手袋のまま触るので、不衛生である。
ホ．手を洗ったあと、他人が触れた水栓などに触らなければならない。
従来品は、これらの点を解決できないので、本発明はこれらの欠点をなくすためになされたものである。
【発明を解決するための手段】
【０００４】  そこで本発明は、これらの欠点をなくすため、
イ．肌が便座に触れないよう、中を楕円形に切り込んだシートで、便座を完全に覆う。
ロ．粘着部を指で便座に軽く押しつけて、シートが、ずれないようにする。
ハ．便器の上部と蓋の下部が覆われるので、下着は膝上のあたりに下げるだけでよく、肌や着衣が便器や蓋に触れないようにできる。
ニ．ミトン状になる内袋に指を入れて、ドアノブや水洗レバーに触れることができる。
ホ．シートの素材は不透過性なので、汚れが付かず、細菌の感染も防ぐことができる。
ヘ．シートの素材はを水溶性なので、使用後は流すこともできる。
ト．極薄のシートなので、かさばらず、畳んで携帯用にすることができる。
チ．添付の除菌用ティッシュで手指を拭けば、他人が使う洗面台で手を洗わないで済む。
【発明の効果】
【０００５】イ．外出時は、ドアのノブや水洗のレバーに、素手でなく、内袋をミトン代わりにして触れることができ、菌や汚れを気にしないで済む。
ロ．粘着部を軽く押すだけでシートを固定できるので、ずれる心配をしないで済む。
ハ．肌が便座に触れないので、菌や汚れを気にしないで済む。
ニ．ふつうの着衣だけでなく、ロング・コートも、手で押さえている必要がなく、手が自由になる。
ホ．男女が共用する家庭では、男性が便座を上げずに小用をたす不安がぬぐえないが、このシートを使えば、肌が便座に直接触れる女性も、安心して使うことができる。
【発明を実施するための最良の形態】
【０００６】  イ．「請求項２」のように、不特定多数の人が使うトイレでは、シート（１）を多数、紐などで綴じたものを吊り下げておく。
ロ．「請求項３」のように、シートを１枚ずつ数センチ大の内袋（５）に入れ、１０枚程度を外袋に収めて、携帯用とする。
ハ．折り畳む前または後に、「請求項３」の塗る部分（４）が上に来るように畳んで粘着剤を塗布した製品を、そのまま便座にセットする方法のほか、折り畳む前または後に、剥離紙付きの両面テープ（剥離側の粘着力が弱く、手早く剥がせるもの）が貼られた製品を、使用時に、剥離紙を剥いで、便座にセットする方法などがある。
ニ．家庭以外のトイレで、水洗のレバーやドアのノブに触れるときは、携帯用の外袋の中の「請求項４」の内袋（５）を開いて指を入れ、ミトン状に使用することができる。
ホ．家庭では、シートを多数、紐などで綴じたものをトイレに吊り下げておく方法のほか、次のような利用法がある。
▲１▼  使用時に、その都度、便座にかぶせて使う。
▲２▼  使用後、剥がして、トイレの壁などに貼っておき、次の機会に、また使う。
▲３▼  常時、便座にかぶせておき、座って使用するときに、剥いで蓋にとめ、使用後、また便座にかぶせておく。
ヘ．「請求項６」の水溶性でない、低廉な極薄のシートを用いれば、経済的である。
【実施例】
【０００７】  「請求項１」から「請求項６」までのすべてについて、年齢・性別・世帯などが違う場合に試みた結果、極めて使いやすく、「発明の効果」欄のような効果があった。
【産業上の利用可能性】
【０００８】  イ．簡単に製造でき、携帯にも便利で、特にトイレでの女性の不安解消に役立つので、家庭や事業所・企業での使用に最適で、産業上の利用の可能性は極めて大きい。
ロ．細菌による感染が予想される場合は、簡便に予防することができるので、病院や施設向けの需要は極めて大きい。
ハ．袋入りの製品を街頭で配布すれば、企業の宣伝にも効果的である。
【図面の簡単な説明】
【０００９】
【図１】  便器にシートをかぶせた斜視図
【図２】  シートを畳んで入れる内袋の斜視図
【図３】  ものに触れたり掴むときに、ミトン状の内袋に、手の指を入れた斜視図
【符号の説明】
【０００１０】    １  便座を覆うシート
２  便器の蓋にとめたオッパイ形のシート後部
３  便座の内側の楕円部
４  はがしやすい粘着部
５  ミトン状にできる内袋
【図１】
2006289029.tif 000003
【図２】
2006289029.tif 000004
【図３】
2006289029.tif 000005